(57)【特許請求の範囲】
【請求項１】
移動局によって送信された位置登録信号に基づいて位置登録処理を行う位置登録方法であって、
前記移動局が、位置登録処理が行われている位置登録エリア内に在圏しなくなったことを検知した場合に、前記位置登録信号を送信する工程と、
無線基地局が、受信した前記位置登録信号に含まれている交換機ＩＤによって識別される交換機に対して、当該位置登録信号を転送する工程とを有し、
同一の交換機を識別する交換機ＩＤであっても、第１の移動局に対して割り当てられている交換機ＩＤと、第２の移動局に対して割り当てられている交換機ＩＤとが異なり、
前記第１の移動局に対して設定されている位置登録エリアと、前記第２の移動局に対して設定されている位置登録エリアとが異なっており、
１つの交換機によって制御されるプールエリアは、１つ又は複数の位置登録エリア全体を含むように形成されており、
前記第１の移動局に対して設定されているプールエリアと、前記第２の移動局に対して設定されているプールエリアとが異なり、
隣接するプールエリア同士が重なり合うことを特徴とする位置登録方法。
【請求項２】
前記無線基地局が、受信した前記位置登録信号に含まれている交換機ＩＤによって交換機を識別できない場合、所定の交換機に当該位置登録信号を転送することを特徴とする請求項１に記載の位置登録方法。
【請求項３】
前記交換機ＩＤは、各プールエリア内でのみユニークに交換機を識別するものであり、
隣接するプールエリア間では、同一の交換機ＩＤを用いないことを特徴とする請求項１に記載の位置登録方法。
【請求項４】
移動局によって送信された位置登録信号に基づいて位置登録処理を行うように構成されている移動通信システムであって、
前記移動局は、位置登録処理が行われている位置登録エリア内に在圏しなくなったことを検知した場合に、前記位置登録信号を送信するように構成されており、
無線基地局は、受信した前記位置登録信号に含まれている交換機ＩＤによって識別される交換機に対して、当該位置登録信号を転送するように構成されており、
同一の交換機を識別する交換機ＩＤであっても、第１の移動局に対して割り当てられている交換機ＩＤと、第２の移動局に対して割り当てられている交換機ＩＤとが異なるように構成されており、
前記第１の移動局に対して設定されている位置登録エリアと、前記第２の移動局に対して設定されている位置登録エリアとが異なるように構成されており、
１つの交換機によって制御されるプールエリアは、１つ又は複数の位置登録エリア全体を含むように形成されており、
前記第１の移動局に対して設定されているプールエリアと、前記第２の移動局に対して設定されているプールエリアとが異なるように構成されており、
隣接するプールエリア同士が重なり合うように構成されていることを特徴とする移動通信システム。
【請求項５】
前記無線基地局は、受信した前記位置登録信号に含まれている交換機ＩＤによって交換機を識別できない場合、所定の交換機に当該位置登録信号を転送するように構成されていることを特徴とする請求項４に記載の移動通信システム。
【請求項６】
前記交換機ＩＤは、各プールエリア内でのみユニークに交換機を識別するものであり、
隣接するプールエリア間では、同一の交換機ＩＤを用いないように構成されていることを特徴とする請求項４に記載の移動通信システム。
【請求項７】
請求項４乃至６のいずれか一項に記載の移動通信システムで用いられることを特徴とする無線基地局。
【発明の詳細な説明】
【技術分野】
【０００１】
本発明は、移動局によって送信された位置登録信号に基づいて位置登録処理を行う位置登録方法、移動通信システム及び無線基地局に関する。
【背景技術】
【０００２】
３ＧＰＰで規定されているＬＴＥ（Ｌｏｎｇ  Ｔｅｒｍ  Ｅｖｏｌｕｔｉｏｎ）方式の移動通信システムでは、複数の移動局のユーザが同じ電車に乗っているような場合において、位置登録（ＴＡＵ：Ｔｒａｃｋｉｎｇ  Ａｒｅａ  Ｕｐｄａｔｅ）信号が集中して送信されることによって、交換局ＭＭＥにおける位置登録処理による負荷が著しく増加することを回避するために、トラッキングエリアリスト（以下、ＴＡ（Ｔｒａｃｋｉｎｇ  Ａｒｅａ）リスト）の階層化を行うことが検討されている。
【０００３】
具体的には、図１３に示すように、かかる移動通信システムでは、移動局を複数の階層に分け、第１層に属する移動局＃ａに対して割り当てられるＴＡリストに含まれるトラッキングエリア（以下、ＴＡ）と、第２層に属する移動局＃ｂに対して割り当てられるＴＡリストに含まれるＴＡとが異なるように構成されている。
【０００４】
ここで、各移動局＃ａ及び＃ｂは、位置登録処理が行われているＴＡリストに含まれるＴＡ内に在圏しなくなったことを検知した場合に、ＴＡＵ信号を送信するように構成されている。
【０００５】
したがって、上述のように、移動局＃ａのユーザ及び移動局＃ｂのユーザが同じ電車に乗っているような場合であっても、各層に属する移動局によってＴＡＵ信号を送信するタイミングが異なるため、交換局ＭＭＥにおける位置登録処理による負荷の著しい増加を回避することができる。
【非特許文献１】３ＧＰＰ  ＴＳ２３.４０１  ｖ８.０.０
【発明の開示】
【発明が解決しようとする課題】
【０００６】
しかしながら、既存のＬＴＥ方式の移動通信システムでは、ＴＡリストは、各交換機ＭＭＥによって制御されるプールエリアを跨って設定することができないため、各移動局が、プールエリアを跨って移動する場合には、同じタイミングで、ＴＡＵ信号が集中して送信されてしまい、交換局ＭＭＥにおける位置登録処理による負荷が著しく増加してしまうという問題点があった。
【０００７】
具体的には、図１３に示すように、移動局＃ａ及び＃ｂは、プールエリア＃１とプールエリア＃２との間の境界１や、プールエリア＃２とプールエリア＃３との間の境界２を越えて移動する場合には、どちらも、タイミングＴ１、Ｔ２において、ＴＡＵ信号を送信してしまうため、交換局ＭＭＥにおける位置登録処理による負荷が著しく増加するという事態を引き起こしてしまうという問題点があった。
【０００８】
そこで、本発明は、上述の課題に鑑みてなされたものであり、各移動局が、プールエリアを跨って移動する場合であっても、交換局ＭＭＥにおける位置登録処理による負荷の著しい増加という事態を回避することができる位置登録方法、移動通信システム及び無線基地局を提供することを目的とする。
【課題を解決するための手段】
【０００９】
本発明の第１の特徴は、移動局によって送信された位置登録信号に基づいて位置登録処理を行う位置登録方法であって、前記移動局が、位置登録処理が行われている位置登録エリア内に在圏しなくなったことを検知した場合に、前記位置登録信号を送信する工程と、無線基地局が、受信した前記位置登録信号に含まれている交換機ＩＤによって識別される交換機に対して、当該位置登録信号を転送する工程とを有し、同一の交換機を識別する交換機ＩＤであっても、第１層に属する移動局に対して割り当てられている交換機ＩＤと、第２層に属する移動局に対して割り当てられている交換機ＩＤとが異なり、前記第１層に属する移動局に対して設定されている位置登録エリアと、前記第２層に属する移動局に対して設定されている位置登録エリアとが異なっており、１つの交換機によって制御されるプールエリアは、１つ又は複数の位置登録エリア全体を含むように形成されており、前記第１層に属する移動局に対して設定されているプールエリアと、前記第２層に属する移動局に対して設定されているプールエリアとが異なることを要旨とする。
【００１０】
本発明の第１の特徴において、前記無線基地局が、受信した前記位置登録信号に含まれている交換機ＩＤによって交換機を識別できない場合、所定の交換機に当該位置登録信号を転送してもよい。
【００１１】
本発明の第１の特徴において、隣接するプールエリア同士が重なり合ってもよい。
【００１２】
本発明の第１の特徴において、前記交換機ＩＤは、各プールエリア内でのみユニークに交換機を識別するものであり、隣接するプールエリア間では、同一の交換機ＩＤを用いなくてもよい。
【００１３】
本発明の第２の特徴は、移動局によって送信された位置登録信号に基づいて位置登録処理を行うように構成されている移動通信システムであって、前記移動局は、位置登録処理が行われている位置登録エリア内に在圏しなくなったことを検知した場合に、前記位置登録信号を送信するように構成されており、無線基地局は、受信した前記位置登録信号に含まれている交換機ＩＤによって識別される交換機に対して、当該位置登録信号を転送するように構成されており、同一の交換機を識別する交換機ＩＤであっても、第１層に属する移動局に対して割り当てられている交換機ＩＤと、第２層に属する移動局に対して割り当てられている交換機ＩＤとが異なるように構成されており、前記第１層に属する移動局に対して設定されている位置登録エリアと、前記第２層に属する移動局に対して設定されている位置登録エリアとが異なるように構成されており、１つの交換機によって制御されるプールエリアは、１つ又は複数の位置登録エリア全体を含むように形成されており、前記第１層に属する移動局に対して設定されているプールエリアと、前記第２層に属する移動局に対して設定されているプールエリアとが異なるように構成されていることを要旨とする。
【００１４】
本発明の第２の特徴において、前記無線基地局は、受信した前記位置登録信号に含まれている交換機ＩＤによって交換機を識別できない場合、所定の交換機に当該位置登録信号を転送するように構成されていてもよい。
【００１５】
本発明の第２の特徴において、隣接するプールエリア同士が重なり合うように構成されていてもよい。
【００１６】
本発明の第２の特徴において、前記交換機ＩＤは、各プールエリア内でのみユニークに交換機を識別するものであり、隣接するプールエリア間では、同一の交換機ＩＤを用いないように構成されていてもよい。
【００１７】
本発明の第３の特徴において、上述の第２の特徴に係る移動通信システムで用いられる無線基地局であることを要旨とする。
【発明の効果】
【００１８】
以上説明したように、本発明によれば、各移動局が、プールエリアを跨って移動する場合であっても、交換局ＭＭＥにおける位置登録処理による負荷の著しい増加という事態を回避することができる位置登録方法、移動通信システム及び無線基地局を提供することができる。
【発明を実施するための最良の形態】
【００１９】
（本発明の第１の実施形態に係る移動通信システムの構成）
図１乃至図５を参照して、本発明の第１の実施形態に係る移動通信システムの構成について説明する。
【００２０】
本実施形態では、３ＧＰＰで規定されているＬＴＥ方式が採用されている移動通信システムを例に挙げて説明するが、本発明は、かかる例に限定されるものではない。
【００２１】
また、本実施形態では、便宜上、移動局を第１層及び第２層という２階層に分けるケースを例に挙げて説明するが、本発明は、移動局を２以上の階層に分けるケースに対しても適用可能である。
【００２２】
図１に、本実施形態に係る移動通信システムにおけるプールエリアとＴＡリストとＴＡとセルとの関係について示す。
【００２３】
図１に示すように、プールエリアは、１つの交換機ＭＭＥによって制御されるエリアであり、１つ又は複数のＴＡリスト全体を含むように形成されている。ここで、ＭＭＥカラーコード（交換機ＩＤ）は、各プールエリア内でユニークに交換機ＭＭＥを識別するものである。
【００２４】
また、ＴＡリストは、１つ又は複数のＴＡ全体を含むように形成されている位置登録エリアである。また、ＴＡは、１つ又は複数のセル全体を含むように形成されている。ここで、各無線基地局ｅＮＢは、１つのＴＡのみを管理するように構成されている。
【００２５】
また、各移動局は、位置登録処理が行われているＴＡリスト（位置登録エリア）内に在圏しなくなったことを検知した場合に、ＴＡＵ信号（位置登録信号）を送信するように構成されている。
【００２６】
ここで、各移動局は、各無線基地局ｅＮＢからの報知信号に含まれているＴＡ（各移動局が在圏しているＴＡ）が、位置登録処理が行われているＴＡリストに含まれているか否かについて判定し、含まれていないと判定した場合に、当該ＴＡリスト内に在圏しなくなったことを検知するように構成されている。
【００２７】
なお、各移動局は、交換機ＭＭＥからの通知によって、位置登録処理が行われているＴＡリストに含まれているＴＡを管理するように構成されている。
【００２８】
図２の例では、第１層に属する移動局＃ａは、位置登録処理が行われているＴＡリスト＃１に在圏しなくなったことを検知した場合に、すなわち、位置登録処理が行われているＴＡリスト＃１を含むプールエリア＃２に在圏しなくなったことを検知した場合に、タイミングＴ１において、ＴＡＵ信号を送信するように構成されている。
【００２９】
一方、第２層に属する移動局＃ｂは、位置登録処理が行われているＴＡリスト＃３に在圏しなくなったことを検知した場合に、すなわち、位置登録処理が行われているＴＡリスト＃３を含むプールエリア＃２に在圏しなくなったことを検知した場合に、タイミングＴ２において、ＴＡＵ信号を送信するように構成されている。
【００３０】
なお、図２に示すように、本実施形態に係る移動通信システムでは、第１層に属する移動局＃ａに対して設定されているＴＡリスト（位置登録エリア）と、第２層に属する移動局＃ｂに対して設定されているＴＡリスト（位置登録エリア）とが異なるように構成されている。
【００３１】
ただし、必ずしも、第１層に属する移動局＃ａに対して設定されている全てのＴＡリストと、第２層に属する移動局＃ｂに対して設定されている全てのＴＡリストとが異なるように構成される必要はない。
【００３２】
また、本実施形態に係る移動通信システムでは、第１層に属する移動局＃ａに対して設定されているプールエリアと、第２層に属する移動局＃ｂに対して設定されているプールエリアとが異なるように構成されている。
【００３３】
ただし、必ずしも、第１層に属する移動局＃ａに対して設定されている全てのプールエリアと、第２層に属する移動局＃ｂに対して設定されている全てのプールエリアとが異なるように構成される必要はない。
【００３４】
さらに、本実施形態に係る移動通信システムでは、隣接するプールエリア同士が重なり合うように構成されていてもよいし、隣接するプールエリア同士が重なり合わないように構成されていてもよい。
【００３５】
図３に示すように、本実施形態に係る無線基地局ｅＮＢは、位置登録信号受信部１１と、ＭＭＥカラーコード管理部１２と、転送部１３とを具備している。
【００３６】
位置登録信号受信部１１は、移動局ＵＥから送信されたＴＡＵ信号（位置登録信号）等の移動局ＵＥと交換機ＭＭＥとの間の信号であるＮＡＳ（Ｎｏｎ-Ａｃｃｅｓｓ  Ｓｔｒａｔｕｍ）信号を受信するように構成されている。
【００３７】
かかるＮＡＳ信号には、Ｓ-ＴＭＳＩ（Ｓ-Ｔｅｍｐｏｒａｒｙ  Ｍｏｂｉｌｅ  Ｓｕｂｓｃｒｉｂｅｒ  Ｉｄｅｎｔｉｔｙ）が含まれている。
【００３８】
図４に示すように、かかるＳ-ＴＭＳＩは、ＭＭＥカラーコードとＭ-ＴＭＳＩとによって構成されている。ここで、Ｍ-ＴＭＳＩは、各交換機ＭＭＥ内でユニークな移動局ＩＤであり、ページングやＮＡＳシグナリングにおいて移動局を識別するために用いられる。
【００３９】
ＭＭＥカラーコード管理部１２は、図５に示すように、「ＭＭＥカラーコード」と、ＮＡＳ信号（例えば、ＴＡＵ信号）の転送先交換機ＭＭＥを示す「転送先ＭＭＥ」とを関連付けて管理するように構成されている。
【００４０】
図５の例では、「＃０」及び「＃２」は、第１層に属する移動局＃ａに対して割り当てられているＭＭＥカラーコードであり、「＃１」及び「＃３」は、第２層に属する移動局＃ｂに対して割り当てられているＭＭＥカラーコードである。
【００４１】
すなわち、同一の交換機ＭＭＥを識別するＭＭＥカラーコード（交換機ＩＤ）であっても、第１層に属する移動局＃ａに対して割り当てられているＭＭＥカラーコード（交換機ＩＤ）と、第２層に属する移動局＃ｂに対して割り当てられているＭＭＥカラーコード（交換機ＩＤ）とが異なるように構成されている。
【００４２】
転送部１３は、受信したＮＡＳ信号（例えば、ＴＡＵ信号）に含まれているＭＭＥカラーコード（交換機ＩＤ）によって識別される交換機ＭＭＥ（すなわち、受信したＮＡＳ信号（例えば、ＴＡＵ信号）に含まれているＭＭＥカラーコード（交換機ＩＤ）に関連付けられている転送先交換機ＭＭＥ）に対して、かかるＮＡＳ信号（例えば、ＴＡＵ信号）を転送するように構成されている。
【００４３】
なお、転送部１３は、受信したＮＡＳ信号（例えば、ＴＡＵ信号）に含まれているＭＭＥカラーコード（交換機ＩＤ）によって交換機ＭＭＥを識別できない場合、所定の交換機ＭＭＥに対して、かかるＮＡＳ信号（例えば、ＴＡＵ信号）を転送するように構成されている。
【００４４】
（本発明の第１の実施形態に係る移動通信システムの動作）
図６乃至図１１を参照して、本発明の第１の実施形態に係る移動通信システムの動作について説明する。
【００４５】
第１に、図６乃至図８を参照して、本実施形態に係る移動通信システムの第１の動作について説明する。
【００４６】
具体的には、図６に示すように、第２層に属する移動局＃ｂが、プールエリア＃１内のＴＡリスト＃１においてＮＡＳ信号（例えば、ＴＡＵ信号）を送信した後、電源をオフにされ、プールエリア＃２内のＴＡリスト＃４に移動した後に、電源を再投入された場合の動作について説明する。
【００４７】
ここで、当該ＴＡリスト＃１内のＴＡを管理する無線基地局ｅＮＢは、交換局ＭＭＥ＃ａを識別するＭＭＥカラーコードとして、第１層に属する移動局＃ａに対してＭＭＥカラーコード「＃０」を管理しており、第２層に属する移動局＃ｂに対してＭＭＥカラーコード「＃１」を管理しているものとする。
【００４８】
また、当該ＴＡリスト＃１内のＴＡを管理する無線基地局ｅＮＢは、交換局ＭＭＥ＃ｂを識別するＭＭＥカラーコードとして、第１層に属する移動局＃ａに対してＭＭＥカラーコード「＃２」を管理しており、第２層に属する移動局＃ｂに対してＭＭＥカラーコード「＃３」を管理しているものとする。
【００４９】
図７に示すように、ステップ１において、第２層に属する移動局＃ｂが、ＴＡリスト＃１内で、当該無線基地局ｅＮＢに対して、ＮＡＳ信号（例えば、ＴＡＵ信号）を送信する。
【００５０】
ステップ２において、当該無線基地局ｅＮＢは、ＮＡＳ信号（例えば、ＴＡＵ信号）に含まれているＭＭＥカラーコードをチェックする。ここで、第２層に属する移動局＃ｂは、プールエリア＃１内のＴＡリスト＃１に対して位置登録処理が行われているため、当該無線基地局ｅＮＢは、ＭＭＥカラーコード「＃１」を抽出する。
【００５１】
ステップ３において、当該無線基地局ｅＮＢは、当該ＮＡＳ信号（例えば、ＴＡＵ信号）を、ＭＭＥカラーコード「＃１」によって識別される交換機ＭＭＥ＃ａに転送する。
【００５２】
図８に示すように、ステップ１において、ＴＡリスト＃４内で電源を再投入された第２層に属する移動局＃ｂが、当該ＴＡリスト＃４内のＴＡを管理する無線基地局ｅＮＢに対して、ＮＡＳ信号（例えば、ＴＡＵ信号）を送信する。ここで、第２層に属する移動局＃ｂは、プールエリア＃１内のＴＡリスト＃１に対して位置登録処理が行われているままであるため、当該無線基地局ｅＮＢは、ＭＭＥカラーコード「＃１」を抽出する。
【００５３】
ステップ３において、当該無線基地局ｅＮＢは、ＭＭＥカラーコード「＃１」によって交換機ＭＭＥを識別することができないため、当該ＮＡＳ信号（例えば、ＴＡＵ信号）を、所定の交換機（すなわち、ＴＡリスト＃４を含むプールエリア＃２を制御する交換機）ＭＭＥ＃ｄ或いはＭＭＥ＃ｅ（図８の例では、交換機ＭＭＥ＃ｄ）に転送する。
【００５４】
第２に、図９乃至図１１を参照して、本実施形態に係る移動通信システムの第２の動作について説明する。
【００５５】
具体的には、図９に示すように、第１層に属する移動局＃ａ及び第２層に属する移動局＃ｂが、ＴＡ＃１及びＴＡ＃２において、ＮＡＳ信号（例えば、ＴＡＵ信号）を送信する場合の動作について説明する。
【００５６】
ここで、ＴＡ＃１は、第１層に属する移動局＃ａに対して設定されているプールエリア＃１に含まれており、かつ、第２層に属する移動局＃ｂに対して設定されているプールエリア＃１及び＃２に含まれているものとする。
【００５７】
また、ＴＡ＃２は、第１層に属する移動局＃ａに対して設定されているプールエリア＃１及び＃２に含まれており、かつ、第２層に属する移動局＃ｂに対して設定されているプールエリア＃２に含まれているものとする。
【００５８】
図１０に示すように、ステップ１において、第１層に属する移動局＃ａ及び第２層に属する移動局＃ｂが、ＴＡ＃１において、当該ＴＡ＃１を管理する無線基地局ｅＮＢに対して、ＮＡＳ信号（例えば、ＴＡＵ信号）を送信する。
【００５９】
ここで、当該無線基地局ｅＮＢは、交換局ＭＭＥ＃ａを識別するＭＭＥカラーコードとして、第１層に属する移動局＃ａに対してＭＭＥカラーコード「＃０」を管理しており、第２層に属する移動局＃ｂに対してＭＭＥカラーコード「＃１」を管理しているものとする。
【００６０】
また、当該無線基地局ｅＮＢは、交換局ＭＭＥ＃ｂを識別するＭＭＥカラーコードとして、第１層に属する移動局＃ａに対してＭＭＥカラーコード「＃２」を管理しており、第２層に属する移動局＃ｂに対してＭＭＥカラーコード「＃３」を管理しているものとする。
【００６１】
また、当該無線基地局ｅＮＢは、交換局ＭＭＥ＃ｄを識別するＭＭＥカラーコードとして、第２層に属する移動局＃ｂに対してＭＭＥカラーコード「＃５」を管理しているものとする。
【００６２】
さらに、当該無線基地局ｅＮＢは、交換局ＭＭＥ＃ｅを識別するＭＭＥカラーコードとして、第２層に属する移動局＃ｂに対してＭＭＥカラーコード「＃７」を管理しているものとする。
【００６３】
ステップ２において、当該無線基地局ｅＮＢは、ＮＡＳ信号（例えば、ＴＡＵ信号）に含まれているＭＭＥカラーコードをチェックする。
【００６４】
ここで、当該無線基地局ｅＮＢは、ＭＭＥカラーコード「＃０」又は「＃１」を抽出した場合、当該ＮＡＳ信号（例えば、ＴＡＵ信号）を、ＭＭＥカラーコード「＃０」及び「＃１」によって識別される交換機ＭＭＥ＃ａに転送する。
【００６５】
また、当該無線基地局ｅＮＢは、ＭＭＥカラーコード「＃２」又は「＃３」を抽出した場合、当該ＮＡＳ信号（例えば、ＴＡＵ信号）を、ＭＭＥカラーコード「＃２」及び「＃３」によって識別される交換機ＭＭＥ＃ｂに転送する。
【００６６】
また、当該無線基地局ｅＮＢは、ＭＭＥカラーコード「＃４」を抽出した場合、ＭＭＥカラーコード「＃４」によって交換機ＭＭＥを識別することができないため、当該ＮＡＳ信号（例えば、ＴＡＵ信号）を、所定の交換機（すなわち、ＴＡ＃１を含むプールエリア＃１を制御する交換機）ＭＭＥ＃ａ或いはＭＭＥ＃ｂに転送する。
【００６７】
また、当該無線基地局ｅＮＢは、ＭＭＥカラーコード「＃５」を抽出した場合、当該ＮＡＳ信号（例えば、ＴＡＵ信号）を、ＭＭＥカラーコード「＃５」によって識別される交換機ＭＭＥ＃ｄに転送する。
【００６８】
また、当該無線基地局ｅＮＢは、ＭＭＥカラーコード「＃６」を抽出した場合、ＭＭＥカラーコード「＃６」によって交換機ＭＭＥを識別することができないため、当該ＮＡＳ信号（例えば、ＴＡＵ信号）を、所定の交換機（すなわち、ＴＡ＃１を含むプールエリア＃１を制御する交換機）ＭＭＥ＃ａ或いはＭＭＥ＃ｂに転送する。
【００６９】
さらに、当該無線基地局ｅＮＢは、ＭＭＥカラーコード「＃７」を抽出した場合、当該ＮＡＳ信号（例えば、ＴＡＵ信号）を、ＭＭＥカラーコード「＃７」によって識別される交換機ＭＭＥ＃ｅに転送する。
【００７０】
図１１に示すように、ステップ１において、第１層に属する移動局＃ａ及び第２層に属する移動局＃ｂが、ＴＡ＃２において、当該ＴＡ＃２を管理する無線基地局ｅＮＢに対して、ＮＡＳ信号（例えば、ＴＡＵ信号）を送信する。
【００７１】
ここで、当該無線基地局ｅＮＢは、交換局ＭＭＥ＃ａを識別するＭＭＥカラーコードとして、第１層に属する移動局＃ａに対してＭＭＥカラーコード「＃０」を管理しているものとする。
【００７２】
また、当該無線基地局ｅＮＢは、交換局ＭＭＥ＃ｂを識別するＭＭＥカラーコードとして、第１層に属する移動局＃ａに対してＭＭＥカラーコード「＃２」を管理しているものとする。
【００７３】
また、当該無線基地局ｅＮＢは、交換局ＭＭＥ＃ｄを識別するＭＭＥカラーコードとして、第１層に属する移動局＃ａに対してＭＭＥカラーコード「＃４」を管理しており、第２層に属する移動局＃ｂに対してＭＭＥカラーコード「＃５」を管理しているものとする。
【００７４】
さらに、当該無線基地局ｅＮＢは、交換局ＭＭＥ＃ｅを識別するＭＭＥカラーコードとして、第１層に属する移動局＃ａに対してＭＭＥカラーコード「＃６」を管理しており、第２層に属する移動局＃ｂに対してＭＭＥカラーコード「＃７」を管理しているものとする。
【００７５】
ステップ２において、当該無線基地局ｅＮＢは、ＮＡＳ信号（例えば、ＴＡＵ信号）に含まれているＭＭＥカラーコードをチェックする。
【００７６】
ここで、当該無線基地局ｅＮＢは、ＭＭＥカラーコード「＃０」を抽出した場合、当該ＮＡＳ信号（例えば、ＴＡＵ信号）を、ＭＭＥカラーコード「＃０」によって識別される交換機ＭＭＥ＃ａに転送する。
【００７７】
また、当該無線基地局ｅＮＢは、ＭＭＥカラーコード「＃２」を抽出した場合、当該ＮＡＳ信号（例えば、ＴＡＵ信号）を、ＭＭＥカラーコード「＃２」によって識別される交換機ＭＭＥ＃ｂに転送する。
【００７８】
また、当該無線基地局ｅＮＢは、ＭＭＥカラーコード「＃１」又は「＃３」を抽出した場合、ＭＭＥカラーコード「＃１」及び「＃３」によって交換機ＭＭＥを識別することができないため、当該ＮＡＳ信号（例えば、ＴＡＵ信号）を、所定の交換機（すなわち、ＴＡ＃２を含むプールエリア＃２を制御する交換機）ＭＭＥ＃ｄ或いはＭＭＥ＃ｅに転送する。
【００７９】
また、当該無線基地局ｅＮＢは、ＭＭＥカラーコード「＃４」又は「＃５」を抽出した場合、当該ＮＡＳ信号（例えば、ＴＡＵ信号）を、ＭＭＥカラーコード「＃４」又は「＃５」によって識別される交換機ＭＭＥ＃ｄに転送する。
【００８０】
さらに、当該無線基地局ｅＮＢは、ＭＭＥカラーコード「＃６」又は「＃７」を抽出した場合、当該ＮＡＳ信号（例えば、ＴＡＵ信号）を、ＭＭＥカラーコード「＃６」又は「＃７」によって識別される交換機ＭＭＥ＃ｅに転送する。
【００８１】
（本発明の第１の実施形態に係る移動通信システムの作用・効果）
本実施形態に係る移動通信システムによれば、各層に属する移動局＃ａ及び＃ｂに対して異なるプールエリア及びＴＡリストを設定することができるので、移動局＃ａ及び＃ｂが、同時に、プールエリアを跨って移動する場合であっても、交換局ＭＭＥにおける位置登録処理による負荷の著しい増加という事態を回避することができる。
【００８２】
また、本実施形態に係る移動通信システムによれば、無線基地局ｅＮＢは、ＭＭＥカラーコードによって識別される交換機ＭＭＥに対して、ＮＡＳ信号（位置登録信号）を転送するだけでよく、かかるＮＡＳ信号の送信元の移動局が属する層を意識する必要がない。
【００８３】
また、本実施形態に係る移動通信システムによれば、交換機ＭＭＥは、各移動局が属する層を意識して、各移動局に対して、Ｍ-ＴＭＳＩを割り当てる必要がない。
【００８４】
（変更例１）
本発明の変更例１に係る移動通信システムでは、図１２に示すように、ＭＭＥカラーコード（交換機ＩＤ）は、各プールエリア内でのみユニークに交換機ＭＭＥを識別するものである。
【００８５】
したがって、本変更例に係る移動通信システムでは、図１２に示すように、隣接するプールエリア間では、同一の交換機ＩＤを用いないように構成されている。
【００８６】
本変更例に係る移動通信システムによれば、各プールエリア内でのみユニークに交換機ＭＭＥを識別することができるＭＭＥカラーコードを準備すればよいため、ＭＭＥカラーコードに必要なビット数を低減することができる。
【００８７】
なお、上述の移動局ＵＥや無線基地局ＮｏｄｅＢや交換局ＭＭＥの動作は、ハードウェアによって実施されてもよいし、プロセッサによって実行されるソフトウェアモジュールによって実施されてもよいし、両者の組み合わせによって実施されてもよい。
【００８８】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００８９】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ＮｏｄｅＢや無線制御装置ＲＮＣ内に設けられていてもよい。また、かかる記憶媒体及びプロセッサは、ディスクリートコンポーネントとして移動局ＵＥや無線基地局ＮｏｄｅＢや交換局ＭＭＥ内に設けられていてもよい。
【００９０】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【図面の簡単な説明】
【００９１】
【図１】本発明の第１の実施形態に係る移動通信システムにおけるプールエリア、ＴＡリスト、ＴＡ、セルの関係を説明するための図である。
【図２】本発明の第１の実施形態に係る移動通信システムの概略について説明するための図である。
【図３】本発明の第１の実施形態に係る無線基地局の機能ブロック図である。
【図４】本発明の第１の実施形態に係る無線基地局の位置登録信号受信部によって受信される位置登録信号に付与されているＳ-ＴＭＳＩの構成について説明するための図である。
【図５】本発明の第１の実施形態に係る無線基地局のＭＭＥカラーコード管理部によって管理されている「転送先交換機」と「ＭＭＥカラーコード」との対応関係の一例を示す図である。
【図６】本発明の第１の実施形態に係る移動通信システムの動作について説明するための図である。
【図７】本発明の第１の実施形態に係る移動通信システムの動作について説明するための図である。
【図８】本発明の第１の実施形態に係る移動通信システムの動作について説明するための図である。
【図９】本発明の第１の実施形態に係る移動通信システムの動作について説明するための図である。
【図１０】本発明の第１の実施形態に係る移動通信システムの動作について説明するための図である。
【図１１】本発明の第１の実施形態に係る移動通信システムの動作について説明するための図である。
【図１２】本発明の変更例１に係る移動通信システムについて説明するための図である。
【図１３】従来の移動通信システムおける問題点について説明するための図である。
【符号の説明】
【００９２】
ｅＮＢ…無線基地局
１１…位置登録信号受信部
１２…ＭＭＥカラーコード管理部
１３…転送部
【図１】
0004690429.tif 000002
【図２】
0004690429.tif 000003
【図３】
0004690429.tif 000004
【図４】
0004690429.tif 000005
【図５】
0004690429.tif 000006
【図６】
0004690429.tif 000007
【図７】
0004690429.tif 000008
【図８】
0004690429.tif 000009
【図９】
0004690429.tif 000010
【図１０】
0004690429.tif 000011
【図１１】
0004690429.tif 000012
【図１２】
0004690429.tif 000013
【図１３】
0004690429.tif 000014